(57)【要約】【課題】本発明は、軒樋止まりを構成する止水板の止まり本体からの着脱操作が容易で、且つ、止水効果が衰えにくく、更に、軒樋内のゴミの排出作業のために取り外された止水板が紛失することのない軒樋止まりを提供する。【解決手段】軒樋端部に装着されて軒樋内の雨水等を止水する軒樋止まりであって、軒樋止まり１が止まり本体２と止水板３とからなり、軒樋端部に固着される止まり本体２の内周面に止水板３を上下方向に摺動自在に嵌着したことを特徴とする。【選択図】  図１
2004162255.tif 000002
【特許請求の範囲】
【請求項１】
軒樋端部に装着されて軒樋内の雨水等を止水する軒樋止まりであって、軒樋止まりが軒樋長手方向に開口部を有する止まり本体と止水板とからなり、軒樋端部に固着される止まり本体の内周面に止水板を上下方向に摺動自在に嵌着することにより該開口部を堰き止めしたことを特徴とする軒樋止まり。
【請求項２】
上記止水板を止まり本体の内周面に連続して形成した嵌合溝に嵌着した請求項１記載の軒樋止まり。
【請求項３】
上記嵌合溝にパッキンを介して止水板を嵌着した請求項２記載の軒樋止まり。
【請求項４】
上記パッキンの横断面をコ字形に形成し、該コ字形溝に止水板を嵌着した請求項３記載の軒樋止まり。
【請求項５】
上記止水板の外側面に係合片を形成するとともに、該係合片を嵌合する係止部を止まり本体の外側面に形成し、該係合片を該係止部に着脱自在に弾性係止することにより止まり本体の内周面から離脱させた止水板を該止まり本体の外側面に保持できるようにした請求項１記載の軒樋止まり。
【発明の詳細な説明】
【０００１】
【発明の属する技術分野】
本発明は、軒樋端部に装着されて軒樋内の雨水等を止水する軒樋止まりであって、軒樋内に溜まった落葉や土砂の排出を容易に行える軒樋止まりに関するものである。
【０００２】
【従来の技術】
従来、軒樋端部に装着されて軒樋内の雨水等を止水する軒樋止まりであって、軒樋内に溜まった落葉や土砂の排出を容易に行えるようにするため、軒樋止まりを、軒樋端部に接着固定される本体と、該本体の軒樋長手方に開口する開口部を覆う止水板とで構成し、該本体の開口部を覆うために、該本体の外側面に該止水板を複数のねじで固定し、軒樋内の落葉や土砂その他のゴミを排出するときは、該ねじを弛めて止水板を本体から取り外した後に該ゴミ等を軒樋から排出する軒樋止まりがあった（例えば、特許文献１参照。）。
【０００３】
【特許文献１】
特開２００２−１８８２５３号公報（第１頁、図１）
【０００４】
【発明が解決しようとする課題】
特許文献１の軒樋止まりは、軒樋内のゴミ等を排出するためには、複数本のねじを弛めて除去した後に止水板を本体から取り外す必要があり、該止水板の取り外し作業が面倒であるとともに、軒樋内のゴミの排出中に該取り外したねじや止水板が紛失するという問題があり、また、経年変化等により、ねじの締め付け具合が悪くなり、止水効果が劣化してくるという問題があった。本発明は、軒樋止まりを構成する止水板の着脱操作が容易で、且つ、止水効果が衰えにくく、更に、軒樋内のゴミの排出作業のために取り外された止水板が紛失することのない軒樋止まりを提供することを課題とする。
【０００５】
【課題を解決するための手段】
本発明は、上記課題を解決するために、次のような技術的手段を講じている。すなわち、請求項１記載の発明は、軒樋端部に装着されて軒樋内の雨水等を止水する軒樋止まりであって、軒樋止まりが軒樋長手方向に開口部を有する止まり本体と止水板とからなり、軒樋端部に固着される止まり本体の内周面に止水板を上下方向に摺動自在に嵌着することにより該開口部を堰き止めしたことを特徴とする。このような構成によって、軒樋止まりの止まり本体は軒樋に固着したままの状態で、止水板のみを止まり本体から取り外すことにより、軒樋内に溜まった落葉や土砂を軒樋端部から簡単に排出することができる。又、止水板の止まり本体に対する着脱操作が簡単でかつ軒樋内の雨水等の水圧に対しても外れることなく十分に耐え得るのである。
【０００６】
請求項２記載の発明は、請求項１記載の軒樋止まりにおいて、止水板を止まり本体の内周面に連続して形成した嵌合溝に嵌着したものである。このような構成によって、止水板が該嵌合溝にガイドされながら上下方向に摺動自在に嵌着され、その嵌着操作を迅速確実に行うことができるとともに、嵌合溝は止まり本体の内周面に連続して形成されているので、該嵌合溝に嵌着された止水板は、実用上十分な止水効果を発揮できる。
【０００７】
又、請求項３記載の発明は、請求項２記載の軒樋止まりにおいて、嵌合溝にパッキンを介して止水板を嵌着したものである。このような構成によって、止水板の止水効果が一層確実になる。
【０００８】
更に、請求項４記載の発明は、請求項３記載の軒樋止まりにおいて、パッキンの横断面をコ字形に形成し、該コ字形溝に止水板を嵌着したものである。このような構成によって、止水板が止まり本体にしっかりと確実に嵌着され、同時に、止水効果が優れ、暴風雨等にも十分に耐え得る構成となる。
【０００９】
更に又、請求項５記載の発明は、請求項１記載の軒樋止まりにおいて、止水板の外側面に係合片を形成するとともに、該係合片を嵌合する係止部を止まり本体外側面に形成し、該係合片を該係止部に着脱自在に弾性係止することにより止まり本体の内周面から離脱させた止水板を該止まり本体の外側面に保持できるようにしたものである。このような構成によって、軒樋内に溜まった落葉や土砂を除去するために止水板を止まり本体から取り外す作業と該止水板を止まり本体に保持させる作業とを連続した一作業として行うことができるとともに、該取り外した止水板を落下させて破損させたり紛失することがないという特徴を有する。
【００１０】
【発明の実施の形態】
以下、本発明の好ましい実施の形態について、図面を参照してより詳細に説明する。図１は本発明に係る軒樋止まりの一実施例を内側から見たときの斜視図、図２は該実施例の分解斜視図、図３は該実施例を外側から見た状態を示す分解斜視図、図４は該実施例に係る軒樋止まりの止水板を止まり本体の外側面に保持させた状態を示す斜視図である。図において、１は軒樋止まりであり、軒樋止まり１は軒樋（図示せず）端部に装着されて軒樋内の雨水等を止水する。軒樋止まり１は、軒樋長手方向に開口部２３を有する止まり本体２と止水板３とからなる。止まり本体２は接着剤で軒樋の端部に嵌合固着される。止まり本体２の開口部２３のやや内側の内周面に沿って連続して嵌合溝２１が形成されている。嵌合溝２１の横断面形状はコ字形溝である。該嵌合溝２１にパッキン４が嵌着されている。パッキン４は必要に応じて接着剤で嵌合溝２１に固着される。該パッキン４の横断面はコ字形をしたコ字形溝４１が形成されており、該パッキン４のコ字形溝４１に止水板３が上下方向に摺動自在に嵌着される。該止水板３が嵌着されると止まり本体２の開口部２３が堰き止めされる。該パッキン４を使用せず止水板３を止まり本体２の嵌合溝２１に摺動自在に直接に嵌合してもよい。パッキン４を使用しない場合でも止水板３は実用上十分に止水機能を発揮する。
【００１１】
軒樋に落葉や土砂溜まったとき、軒樋止まりの止まり本体２は軒樋に固着したままの状態で、止水板３のみを上方向に摺動して止まり本体２から取り外し、該落葉や土砂を止まり本体２の開口部２３から軒樋外に簡単に排出することができる。軒樋内のゴミを排出した後は再び止水板３をパッキン４のコ字形溝４１に摺動嵌合するのである。止水板３は止まり本体２の内周面に上下方向に摺動自在に嵌着されているから、止まり本体２に対する着脱操作が簡単に行えるようになっている。止水板３が止まり本体２に装着されている状態では止水板３が止まり本体２の内周面に連続して形成した嵌合溝２１に、或いは、パッキン４のコ字形溝４１に嵌合されているから、該止水板３は軒樋内の雨水等の水圧に対しても外れることなく十分に耐え得るのである。
【００１２】
図３に示す如く、止水板３の外側面にはＬ字形の係合片３１が形成されており、止まり本体２の外側面端面に、該係合片３１を嵌合する係止部２２が形成されている。軒樋内のゴミ等を排出するために、止水板３を止まり本体２から取外したとき、図４に示す如く、該係合片３１を該係止部２２に着脱自在に弾性係止することにより止水板３を止まり本体２の外側面に保持するのである。
【００１３】
【発明の効果】
以上述べたように、請求項１記載の発明は、軒樋端部に装着されて軒樋内の雨水等を止水する軒樋止まりであって、軒樋止まり１が軒樋長手方向に開口部２３を有する止まり本体２と止水板３とからなり、軒樋端部に固着される止まり本体２の内周面に止水板３を上下方向に摺動自在に嵌着することにより該開口部２３を堰き止めしたから、軒樋に落葉や土砂溜まったとき、軒樋止まりの止まり本体２は軒樋に固着したままの状態で、止水板３のみを止まり本体２から取り外すことにより、該落葉や土砂を軒樋端部から簡単に排出することができる。又、止水板３は止まり本体２の内周面に上下方向に摺動自在に嵌着されているから、止まり本体２に対する着脱操作が簡単でかつ軒樋内の雨水等の水圧に対しても外れることなく十分に耐え得るのである。
【００１４】
請求項２記載の発明は、請求項１記載の軒樋止まりにおいて、止水板３を止まり本体２の内周面に連続して形成した嵌合溝２１に嵌着したから、止水板３が該嵌合溝２１にガイドされながら上下方向に摺動自在に嵌着され、その嵌着操作を迅速確実に行うことができるとともに、嵌合溝２１は本体２の内周面に連続して形成されているので、該嵌合溝２１に嵌着された止水板３は、実用上十分な止水効果を発揮できるのである。
【００１５】
請求項３記載の発明は、請求項２記載の軒樋止まりにおいて、嵌合溝２１にパッキン４を介して止水板３を嵌着したから、止水板３の止水効果が一層確実になる。
【００１６】
又、請求項４記載の発明は、請求項３記載の軒樋止まりにおいて、パッキン４の横断面をコ字形に形成し、該コ字形溝４１に止水板３を嵌着したから、止水板３が止まり本体２にしっかりと確実に嵌着され、同時に、止水効果が優れ、暴風雨等にも十分に耐え得る構成となるのである。
【００１７】
更に、請求項５記載の発明は、請求項１記載の軒樋止まりにおいて、止水板３の外側面に係合片３１を形成するとともに、該係合片３１を嵌合する係止部２２を止まり本体２の外側面に形成し、該係合片３１を該係止部２２に着脱自在に弾性係止することにより止まり本体２の内周面から離脱させた止水板３を該止まり本体２の外側面に保持できるようにしたから、軒樋内に溜まった落葉や土砂を除去するために止水板３を止まり本体２から取り外す作業と該止水板３を止まり本体２に保持させる作業とを連続した一作業として行うことができるとともに、該取り外した止水板３を落下させて破損することや紛失することがないという効果がある。
【図面の簡単な説明】
【図１】本発明に係る軒樋止まりの一実施例を内側から見たときの斜視図。
【図２】上記実施例の分解斜視図。
【図３】上記実施例を外側から見た状態を示す分解斜視図。
【図４】上記実施例に係る軒樋止まりの止水板を止まり本体の外側面に保持させた状態を示す斜視図。
【符号の説明】
１          軒樋止まり
２          止まり本体
２１        止まり本体の嵌合溝
２２        止まり本体の係止部
２３        止まり本体の開口部
３          止水板
３１        止水板の係合片
４          パッキン
４１        パッキンのコ字形溝
【図１】
2004162255.tif 000003
【図２】
2004162255.tif 000004
【図３】
2004162255.tif 000005
【図４】
2004162255.tif 000006